【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
他の情報処理装置と通信する通信手段と、
コンテンツを取得して使用者の閲覧を可能にするコンテンツ再生手段と、
前記コンテンツ再生手段により再生したコンテンツに対して、該コンテンツを識別するコンテンツ識別情報を対応付けるコンテンツ識別情報対応付け手段と、
前記他の情報処理装置から着信情報を着信する着信手段と、
前記着信した情報に、前記コンテンツ識別情報が付加されている場合に、前記コンテンツ識別情報に対応付けられたコンテンツを表示する対応付けコンテンツ表示手段と、を有することを特徴とする情報処理装置。
【請求項２】
請求項１に記載の情報処理装置において、
前記他の情報処理装置に対して、前記コンテンツ識別情報及びコールバック先として指定する情報処理装置のアドレスを付加して発信情報を発信するコンテンツ識別情報付発信手段を有し、
前記コンテンツ識別情報対応付け手段は、前記コンテンツ識別情報付発信手段を用いて発信情報を発信した場合に、前記コンテンツ及び前記コンテンツ識別情報との対応付け情報を蓄積することを特徴とする情報処理装置。
【請求項３】
請求項２に記載の情報処理装置において、
前記着信手段に着信情報が着信した際に、該着信情報にコンテンツ識別情報が付加されており、該コンテンツ識別情報が対応付け情報とともに蓄積されていれば、該着信が以前に前記コンテンツ再生手段により再生したコンテンツに係る着信であることを表示するコールバック着信情報表示手段を有し、
前記着信手段に着信情報が着信した際に、該着信情報にコンテンツ識別情報が付加されており、該コンテンツ識別情報が対応付け情報とともに蓄積されていれば、前記対応付けコンテンツ表示手段にて、該コンテンツ識別情報に対応付けられたコンテンツを表示し、さらに、前記コールバック着信情報表示手段にて、該着信が、以前に前記コンテンツ再生手段により再生したコンテンツに係る着信であることを表示することを特徴とする情報処装置。
【請求項４】
請求項２に記載の情報処理装置において、
前記通信手段は、テレビ電話装置であり、
前記テレビ電話装置は、前記コンテンツ識別情報付発信手段を用いて発信情報の発信を行なった場合に、テレビ電話通信時に、通信相手である、前記他の情報処理装置から送信されてくる映像とともに、前記対応付けコンテンツ表示手段にて、該コンテンツ識別情報に対応付けられたコンテンツを表示することを特徴とする情報処理装置。
【請求項５】
請求項１に記載の情報処理装置において、
前記他の情報処理装置に対して、前記コンテンツ識別情報及びコールバック先として指定する情報処理装置のアドレスを付加して発信情報を発信するコンテンツ識別情報付発信手段を有し、
前記コンテンツ識別情報対応付け手段は、前記コンテンツ識別情報付発信手段で発信情報を発信した際に、発信先との通話が成立しない場合に、前記コンテンツと前記コンテンツ識別情報との対応付け情報を蓄積することを特徴とする情報処理装置。
【請求項６】
請求項１に記載の情報処理装置において、
前記コンテンツ識別情報は、コンテンツを特定することが可能なコンテンツＩＤ又はコンテンツを参照できるＵＲＬであることを特徴とする情報処理装置。
【請求項７】
請求項１に記載の情報処理装置において、
前記他の情報処理装置と通信する通信手段は、テレビ電話装置であることを特徴とする情報処理装置。
【請求項８】
請求項７に記載の情報処理装置において、
前記テレビ電話装置は、前記着信手段に着信情報が着信した際に、該着信情報にコンテンツ識別情報が付加されていれば、テレビ電話通信時に、通信相手である前記他の情報処理装置から送信されてくる映像とともに、前記対応付けコンテンツ表示手段にて、該コンテンツ識別情報に対応付けられたコンテンツを表示することを特徴とする情報処理装置。
【請求項９】
他の情報処理装置と通信する通信手段と、
前記他の情報処理装置から、コンテンツ識別情報が付加された着信情報を着信するコンテンツ識別情報付着信手段と、
前記コンテンツ識別情報と、コールバック指定先の情報処理装置のアドレスとを組にして蓄積するコンテンツ識別情報蓄積手段と、
前記コンテンツ識別情報蓄積手段に蓄積されたコールバック指定先の情報処理装置のアドレスに対して、前記他の情報処理装置のアドレスと組にして蓄積されたコンテンツ識別情報を付加して発信情報を発信するコンテンツ識別情報付コールバック発信手段とを有することを特徴とする情報処理装置。
【請求項１０】
請求項９に記載の情報処理装置において、
前記通信手段の１つが、少なくとも通信中である状態において、該通信手段の利用者が新たな着信に対して応答できない状態にある、という応答拒否状態を認識する応答拒否状態識別手段と、
前記コンテンツ識別情報蓄積手段によって蓄積された、コンテンツ識別情報と前記コールバック指定先の情報処理装置のアドレスとの組に、該着信が不在着信となった、という不在着信情報を対応づけて蓄積する不在着信情報蓄積手段とを有し、
前記不在着信情報蓄積手段は、前記コンテンツ識別情報付着信手段で着信情報を着信した際に全ての利用者が応答拒否状態である場合に、前記不在着信情報を蓄積することを特徴とする情報処理装置。
【請求項１１】
請求項１０に記載の情報処理装置において、
前記応答拒否状態を利用者の操作入力によって変更することが可能な、応答拒否状態変更手段を有することを特徴とする情報処理装置。
【請求項１２】
請求項１０に記載の情報処理装置において、
前記コンテンツ識別情報付コールバック発信手段は、前記応答拒否状態が解除され、前記不在着信情報蓄積手段により前記コンテンツ識別情報と前記コールバック指定先の情報処理装置のアドレスとが組になって不在着信として蓄積されている場合に、
前記蓄積されているコールバック指定先の情報処理装置のアドレスに発信情報を発信することを特徴とする情報処理装置。
【請求項１３】
請求項１０に記載の情報処理装置において、
前記通信手段は、前記不在着信情報蓄積手段により前記コンテンツ識別情報と前記コールバック指定先の情報処理装置のアドレスとが組になって不在着信として蓄積されている場合に、
前記コンテンツ識別情報付コールバック発信手段によりコールバック指定先に対して発信情報の発信をおこない、通信が成功したら、蓄積されていた該不在着信情報を削除することを特徴とする情報処理装置。
【請求項１４】
請求項９に記載の情報処理装置において、
前記通信手段の１つが、少なくとも通信中である状態において、該通信手段の利用者が新たな着信に対して応答できない状態にある、という応答拒否状態を認識する応答拒否状態識別手段を有し、
前記通信手段は、前記他の情報処理装置から着信情報を着信した際に、前記応答拒否状態識別手段にて、全ての利用者が応答拒否状態であると認識した場合に、現在応答できない状態である旨を発信元に返信することを特徴とする情報処理装置。
【請求項１５】
請求項９に記載の情報処理装置において、
前記通信手段の１つが、少なくとも通信中である状態において、該通信手段の利用者が新たな着信に対して応答できない状態にある、という応答拒否状態を認識する応答拒否状態識別手段と、
前記コンテンツ識別情報蓄積手段によって蓄積された、コンテンツ識別情報と前記コールバック指定先の情報処理装置のアドレスとの組に、該着信が不在着信となった、という不在着信情報を対応づけて蓄積する不在着信情報蓄積手段とを有し、
前記通信手段は、前記他の情報処理装置から着信情報を着信した際に、前記応答拒否状態識別手段にて、全ての利用者が応答拒否状態であると認識した場合に、前記不在着信情報蓄積手段にて、前記不在着信情報を蓄積し、現在応答できない状態である旨を発信元に返信することを特徴とする情報処理装置。
【請求項１６】
請求項９に記載の情報処理装置において、
前記コンテンツ識別情報は、コンテンツを特定することが可能なコンテンツＩＤ又はコンテンツを参照できるＵＲＬであり、
前記コンテンツ識別情報により特定されたコンテンツまたはコンテンツの関連情報を表示する、コンテンツ情報表示手段を有することを特徴とする情報処理装置。
【請求項１７】
請求項１６に記載の情報処理装置において、
前記コンテンツ情報表示手段は、前記応答拒否状態が解除され、前記不在着信情報蓄積手段により前記コンテンツ識別情報と前記コールバック指定先の情報処理装置のアドレスとが組になって不在着信として蓄積されている場合に、
該コンテンツ識別情報により特定されたコンテンツまたはコンテンツの関連情報を表示することを特徴とする情報処理装置。
【請求項１８】
請求項１６に記載の情報処理装置において、
前記コンテンツ情報表示手段は、前記コンテンツ識別情報付着信手段に着信情報が着信した際に、該着信情報にコンテンツ識別情報が付加されていれば、
コンテンツ識別情報蓄積手段にて該コンテンツ識別情報により特定されたコンテンツまたはコンテンツの関連情報を表示することを特徴とする情報処理装置。
【請求項１９】
請求項１６に記載の情報処理装置において、
前記コンテンツ情報表示手段は、前記コンテンツ識別情報蓄積手段にて蓄積された前記コールバック指定先に対して、前記通信手段により発信情報を発信する場合に、少なくとも発信をおこなう前または発信中に、前記コンテンツ識別情報蓄積手段にて該コールバック指定先に対応付けられたコンテンツ識別情報により特定されたコンテンツまたはコンテンツの関連情報を表示することを特徴とする情報処理装置。
【請求項２０】
請求項１６に記載の情報処理装置において、
前記通信手段は、テレビ電話装置であり、
前記テレビ電話装置は、前記コンテンツ識別情報付着信手段に着信情報が着信した際に、該着信情報にコンテンツ識別情報が付加されていれば、
テレビ電話通信時に、通信相手である、前記他の情報処理装置から送信されてくる映像とともに、前記コンテンツ情報表示手段にて、該コンテンツ識別情報に対応付けられたコンテンツまたはコンテンツの関連情報を表示することを特徴とする情報処理装置。
【請求項２１】
請求項１６に記載の情報処理装置において、
前記通信手段は、テレビ電話装置であり、
前記テレビ電話装置は、前記コンテンツ識別情報付コールバック発信手段にてコンテンツ識別情報を付加して発信情報を発信した際に、
テレビ電話通信時に、通信相手である前記他の情報処理装置から送信されてくる映像とともに、前記コンテンツ情報表示手段にて該コンテンツ識別情報に対応付けられたコンテンツまたはコンテンツの関連情報を表示することを特徴とする情報処理装置。
【請求項２２】
請求項９に記載の情報処理装置において、
前記通信手段は、テレビ電話装置であることを特徴とする情報処理装置。
【請求項２３】
請求項１乃至８のいずれかに記載の情報処理装置をコンピュータに実行させるプログラム。
【請求項２４】
請求項９乃至２２のいずれかに記載の情報処理装置をコンピュータに実行させるプログラム。
【請求項２５】
他の情報処理装置と通信する通信手段と、
コンテンツを取得して使用者の閲覧を可能にするコンテンツ再生手段と、
前記コンテンツ再生手段により再生したコンテンツに対して、該コンテンツを識別するコンテンツ識別情報を対応付けるコンテンツ識別情報対応付け手段と、
前記他の情報処理装置から着信情報を着信する着信手段と、
前記着信した着信情報に、前記コンテンツ識別情報が付加されている場合に、前記コンテンツ識別情報に対応付けられたコンテンツを表示する対応付けコンテンツ表示手段と、を有する情報処理装置
、及び、
他の情報処理装置と通信する通信手段と、
前記他の情報処理装置から、コンテンツ識別情報が付加された着信情報を着信するコンテンツ識別情報付着信手段と、
前記コンテンツ識別情報と、前記コールバック指定先の情報処理装置のアドレスとを組にして蓄積するコンテンツ識別情報蓄積手段と、
前記コンテンツ識別情報蓄積手段に蓄積されたコールバック指定先の情報処理装置のアドレスに対して、前記他の情報処理装置のアドレスと組にして蓄積されたコンテンツ識別情報を付加して発信情報を発信するコンテンツ識別情報付コールバック発信手段とを有する情報処理装置からなることを特徴とする通信システム。
【手続補正２】
【補正対象書類名】明細書
【補正対象項目名】００１１
【補正方法】変更
【補正の内容】
【００１１】
第１の技術手段は、他の情報処理装置と通信する通信手段と、コンテンツを取得して使用者の閲覧を可能にするコンテンツ再生手段と、前記コンテンツ再生手段により再生したコンテンツに対して、該コンテンツを識別するコンテンツ識別情報を対応付けるコンテンツ識別情報対応付け手段と、前記他の情報処理装置から着信情報を着信する着信手段と、前記着信した情報に、前記コンテンツ識別情報が付加されている場合に、前記コンテンツ識別情報に対応付けられたコンテンツを表示する対応付けコンテンツ表示手段と、を有することを特徴とする情報処理装置である。
【手続補正３】
【補正対象書類名】明細書
【補正対象項目名】００１３
【補正方法】変更
【補正の内容】
【００１３】
第３の技術手段は、前記第２の技術手段において、前記着信手段に着信情報が着信した際に、該着信情報にコンテンツ識別情報が付加されており、該コンテンツ識別情報が対応付け情報とともに蓄積されていれば、該着信が以前に前記コンテンツ再生手段により再生したコンテンツに係る着信であることを表示するコールバック着信情報表示手段を有し、前記着信手段に着信情報が着信した際に、該着信情報にコンテンツ識別情報が付加されており、該コンテンツ識別情報が対応付け情報とともに蓄積されていれば、前記対応付けコンテンツ表示手段にて、該コンテンツ識別情報に対応付けられたコンテンツを表示し、さらに、前記コールバック着信情報表示手段にて、該着信が、以前に前記コンテンツ再生手段により再生したコンテンツに係る着信であることを表示することを特徴とする情報処理装置である。
【手続補正４】
【補正対象書類名】明細書
【補正対象項目名】００１４
【補正方法】変更
【補正の内容】
【００１４】
第４の技術手段は、前記第２の技術手段において、前記通信手段は、テレビ電話装置であり、前記テレビ電話装置は、前記コンテンツ識別情報付発信手段を用いて発信情報の発信を行なった場合に、テレビ電話通信時に、通信相手である、前記他の情報処理装置から送信されてくる映像とともに、前記対応付けコンテンツ表示手段にて、該コンテンツ識別情報に対応付けられたコンテンツを表示することを特徴とする情報処理装置である。
【手続補正５】
【補正対象書類名】明細書
【補正対象項目名】００２４
【補正方法】変更
【補正の内容】
【００２４】
第１４の技術手段は、前記第９の技術手段において、前記通信手段の１つが、少なくとも通信中である状態において、該通信手段の利用者が新たな着信に対して応答できない状態にある、という応答拒否状態を認識する応答拒否状態識別手段を有し、前記通信手段は、前記他の情報処理装置から着信情報を着信した際に、前記応答拒否状態識別手段にて、全ての利用者が応答拒否状態であると認識した場合に、現在応答できない状態である旨を発信元に返信することを特徴とする情報処理装置である。
【手続補正６】
【補正対象書類名】明細書
【補正対象項目名】００２５
【補正方法】変更
【補正の内容】
【００２５】
第１５の技術手段は、前記第９の技術手段において、前記通信手段の１つが、少なくとも通信中である状態において、該通信手段の利用者が新たな着信に対して応答できない状態にある、という応答拒否状態を認識する応答拒否状態識別手段と、前記コンテンツ識別情報蓄積手段によって蓄積された、コンテンツ識別情報と前記コールバック指定先の情報処理装置のアドレスとの組に、該着信が不在着信となった、という不在着信情報を対応づけて蓄積する不在着信情報蓄積手段とを有し、前記通信手段は、前記他の情報処理装置から着信情報を着信した際に、前記応答拒否状態識別手段にて、全ての利用者が応答拒否状態であると認識した場合に、前記不在着信情報蓄積手段にて、前記不在着信情報を蓄積し、現在応答できない状態である旨を発信元に返信することを特徴とする情報処理装置である。
【手続補正７】
【補正対象書類名】明細書
【補正対象項目名】００３５
【補正方法】変更
【補正の内容】
【００３５】
第２５の技術手段は、コンテンツを取得して使用者の閲覧を可能にするコンテンツ再生手段と、前記コンテンツ再生手段により再生したコンテンツに対して、該コンテンツを識別するコンテンツ識別情報を対応付けるコンテンツ識別情報対応付け手段と、前記他の情報処理装置から着信情報を着信する着信手段と、前記着信した着信情報に、前記コンテンツ識別情報が付加されている場合に、前記コンテンツ識別情報に対応付けられたコンテンツを表示する対応付けコンテンツ表示手段と、を有する情報処理装置、及び、他の情報処理装置と通信する通信手段と、前記他の情報処理装置から、コンテンツ識別情報が付加された着信情報を着信するコンテンツ識別情報付着信手段と、前記コンテンツ識別情報と、前記コールバック指定先の情報処理装置のアドレスとを組にして蓄積するコンテンツ識別情報蓄積手段と、前記コンテンツ識別情報蓄積手段に蓄積されたコールバック指定先の情報処理装置のアドレスに対して、前記他の情報処理装置のアドレスと組にして蓄積されたコンテンツ識別情報を付加して発信情報を発信するコンテンツ識別情報付コールバック発信手段とを有する情報処理装置からなることを特徴とする通信システムである。